(57)【要約】【課題】病人、要介護人などが医師、看護婦、介護人などの手助けを必要とすることなく、一定期間自分一人で生活できるようにすること。【解決手段】ベットにシャワー設備、排便設備、排泄物およびシャワー水浄化処理装置、シャワー水処理装置、飲料水補給装置、冷蔵庫、本箱、テレビ、ラジオ、オーディオ、マッサージ機、各種医療測定機などを装備し、かつベットが移動できるように、車輪と電動式のモーター、バッテリー電源を装備した自活ベットの提供。【選択図】        図１
2005305050.tif 000002
【特許請求の範囲】
【請求項１】
身体障害者や病人などが、他人の介護を受けることなく生活できるベットであって、ベットには、マッサージ機、便器、自動開閉式カバー付き温水シャワー、クローズド方式の排泄物およびシャワー水浄化処理装置、冷蔵庫、飲料水供給装置、本箱などが装備されており、また身体障害者や病人の状態を知るための、脈拍、血圧、呼吸、体温などの測定機、およびテレビ、ラジオ、オーディオなどのエンターテイメント設備が付属されたベットであって、かつベットには移動用の車輪と動力が装備され、移動が可能であり、そのベットの中で身体障害者や病人などが、一定の期間、他人の介護を必要とすることなく生活することが可能な自活ベット。
【請求項２】
請求項１において、自活ベットの背もたれ部の傾きは、動力により自動調節でき、大便や小便、食事、読書、移動などの用事のときには、介護を必要とせずに起き上がることができる、請求項１記載の自活ベット。
【請求項３】
請求項１において、浄化装置は活性炭粒子を用いた電気分解式の浄化槽であって、浄化槽は電気分解のための陽極と陰極を備え、また浄化槽には活性炭粒子が充填されており、電気分解による電気化学反応によって、汚物や排泄部を分解浄化することのできる、請求項１記載の自活ベット。
【請求項４】
請求項１において、便器にはお尻洗浄用の垂直噴流式のシャワーノズル、乾燥ファン、および臭気を排除するための吸気循環ファンを備えた、請求項１記載の自活ベット
【請求項５】
請求項１において、自活ベットには飲料水タンクが備えられており、飲料水タンクから電動ポンプによって、身体障害者や病人の飲料水用コップに、飲料水が自動給水できる、請求項１記載の自活ベット。
【請求項６】
請求項１、２、３、４および５において、マッサージ機、自活ベットの背もたれ部の傾き調節機構、冷蔵庫、ラジオ、テレビ、脈拍モニター、乾燥用ファン、排気ファン、自動開閉式カバー、シャワー、便器、排泄物およびシャワー水浄化処理装置、ベットを移動するためのモーター、飲料水タンク用ポンプ、などの電子機器の電源やモーター駆動のための動力源、及び排泄物およびシャワー水浄化処理装置の電気分解の電源は、ベットに直接取りつけられた燃料電池、充電式バッテリーなどによる電気エネルギー方式である、請求項１、２、３、４および５記載の自活ベット。
【請求項７】
請求項１において、排泄物浄およびシャワー水浄化処理装置は、外部に排水を出さないクローズド方式の浄化処理装置であるほかに、上水道と連結したシャワー水や飲料水供給システム、排泄物を下水に直接排出することが可能な、請求項１記載の自活ベット。
【請求項８】
請求項１において、身体障害者や病人の様子を撮影した静止画、動画などのカメラ撮影画像、脈拍、血圧、呼吸、体温など測定機で自動測定されたデータが、離れた場所で知ることが出来るように、自活ベット本体に無線送受信装置を備えたことを特徴とする、請求項１記載の自活ベット。
【請求項９】
請求項１において、マッサージ機機能選択、便器開閉、温水シャワー、テレビ、ラジオ、オーディオ装置、飲料水供給、ベットの移動停止などの操作が、タッチパネルなどの方式により身体障害者や病人の意思で操作が可能な、請求項１記載の自活ベット。
【請求項１０】
請求項１において、テレビはインターネット通信が可能なデジタルテレビ、カメラを備えたテレビ電話システムなどであり、離れた場所の介護人や医師との双方向通信による対話が可能な、請求項１記載の自活ベット。
【発明の詳細な説明】
【発明の詳細な説明】
【技術分野】  本発明は、身体障害者や病人などが、他人の介護を必要とすることなく、一定の期間自活するための、生活に必要な装備、機器を備えた、自活ベットに関するものである。
【背景技術】  従来、介護用ベットには、背もたれ部の傾き調整が可能な介護ベットや、病人を持ち上げることができる介護補助装置がついた介護用ベットなどがある。また寝返り時にベットが横方向に傾き、病人や身体障害者が寝返りが楽にでき、介護人の負担を軽減できる介護ベットなども市販されている。さらにはベットの中央がが回転し、起床が楽にできる電動式の起床回転ベットなどもある。さらにまた便器付き介護ベットは、オムツ交換などが不用で、介護人の負担をさらに軽減することができる介護ベットとして紹介されている。
【発明が解決しようとする課題】
従来技術で述べた介護ベットは、介護人の負担をある程度軽減することができるが、介護人は常時必要である。たとえば、介護人が日常の仕事で家を離れたり、また緊急の用事で数日間家を離れたりした場合、肉体的に自分一人での生活が不可能な病人や身体障害者は、別の介護人を雇うなどの介護支援が必要である。従って、これらの肉体的に不自由な身体傷害者や病人を抱えた家庭では、その介護に要する肉体的、精神的な苦労はもちろんのこと、介護人は定職に就けないなど、家族の大きな経済的な負担にもなっている。
また高齢化社会の進展にともない、病院や介護施設における若い体力のある介護人の不足は、社会的に大きな問題になっている。またこれら施設においては、これら介護負担から解放されて、より質の高いケアや医療ができることが望まれているが、現実はそれが不可能になっている。
こうした中で介護を受ける身体障害者や病人の、精神的な問題も提起され始めている。介護を受ける側が精神的な負い目を感じることなく介護を受けられることが理想であるが、実際には介護人の負担を感じながら介護を受けなければならない。
発明が解決しようとする課題は、介護人の精神的、肉体的、経済的な負担を軽減できるばかりでなく、身体障害者や病人が数日間自らが精神的にも安心して生活できる、自活ベットを提供することにある。
【課題を解決するための手段】
ベットに自動シャワー設備、排便設備、排泄物およびシャワー水浄化処理装置、自動飲料水補給装置、冷蔵庫、本箱、テレビ、ラジオ、オーディオ、マッサージ機のほか各種医療測定機などを装備し、かつベットが移動できるように、車輪と電動式のモーター、バッテリー電源を装備した自活ベットを提供する。
【発明を実施するための最良の形態】  最初に本発明の実施形態の概要を図を用いて説明する。図１および図２は、自活ベットの全装備を示すものである。図１の自活ベット本体２には、飲料水供給システム、シャワー設備、システムトイレ設備、トイレおよびシャワー排水のクローズド浄化処理装置、冷蔵庫、マッサージ、テレビ、音響装置、書庫など生活に必要な一切の装備が設けられている。図１はシャワー設備のシャワーカバー１３を閉じている状態を、また図２はシャワーカバー１３を収納している状態を示している。図１のシャワーカバー１３は体を洗うときにのみ使用し、通常の生活では図２の状態になっている。音響設備では音楽鑑賞やラジオ放送が楽しめるように、背もたれ４６にはラジオ、ＣＤプレーヤー１９が装備されている。また背もたれ４６の中にはマッサージ機３があり、背もたれ部はマッサージ機能も有している。さらにテレビ放送やＤＶＤ再生、インターネットなどが楽しめるように、マルチメディアデジタルテレビ１２が前方に配置されている。病人や身体障害者である人１は、操作パネル１８によってテレビ画面の操作を行なえるほか、この操作パネル上でマッサージ機能選択と決定、背もたれの傾き調整、シャワーカバー１３の開閉、シャワー２５の流量調整、システムトイレの操作、飲料水の供給、冷蔵庫の開閉など、システム全体の操作を行なうことができる。操作パネルはタッチパネル方式になっており、機能の選択と決定が指１本で簡単に行なえる。
（実施例１）
図１はシャワーを使っている状態を示す。人１はタッチパネル方式の操作パネル１８でシャワー２５の流量を調整しているところである。シャワーの温水は管理槽３６から供給される。管理槽の容量は５０リットルほどである。この管理槽の水は、図には示してないが、常に４０℃前後に自動温度調節機能付き電熱式加温ヒーターによって温度制御されている。温度の設定は自動温度調節機の温度設定によって人の希望する温度に自由に選定できる。
温度調節された温水は、電動式のシャワー用ポンプ９によって、シャワー用配管２４からシャー２５に送られる。シャワーは人の頭部から足に至るまで４〜５個がサスペンダー３３により支えられて取りつけられている。使用されたシャワー水は、便器４に回収されて、受槽５、処理槽６を通り、管理槽３６に戻る仕組みになっている。電動式シャワー用ポンプや電熱式加温ヒーターの電源は、自活ベット本体２の後部のバッテリーおよび制御盤１４内に設けられている。バッテリーは充電式であり、商用電源入力用コンセント１５をはずしても、シャワーや電熱は一定時間使用可能である。シャワー終了後は、温風ファン２１から温風が送られる。温風は温水との切り替え用第一電磁弁２２、第二電磁弁２３の切り替えによって、同じシャワー用配管２４から送られる。温風ファンは電熱ヒーターを備えた温度調節機能付きの電動モーター方式である。一定時間送風し人の体に付着した水分が乾燥される。送風された空気は図には示していないが、シャワーカバーの隙間からでて、室内に設けられた換気扇から室外へ排気される。このためシャワー使用の度に管理槽の水は少し減るが、排気によって失われる水の量は、体に付着した水の量なので、１リットル以内と少なく、後述する排便の浄化システムで補給される水の量と通常はバランスしている。水が減った場合には、定期的な管理槽への水の供給と管理槽からの排出によって、管理槽の水量は維持管理できる。温風による乾燥終了後は図２に示すように、シャワーカバー１３とシャワー装置は前方パネル３２に取りつけられたシャワー収納部５６に自動で折りたたまれて収納され、図２のようになる。シャワーの収納は電動式であり、タッチパネルで操作できる。図２の状態では人は衣服を身に付けることなく、例えば必要な場合には毛布などを使用できる。自活ベットの設置される部屋は、通常空調設備の整った部屋なので、それほど人が寒くなることはないが、個人差があるので毛布などを併用する。しかし図１のシャワーカバーを閉じた状態で、自活ベット本体の空調機４５を作動させても良い。
図３は背もたれ４６からマッサージ機３を立てて、自活ベットの上に上半身が立ち上がった人の状態を示す。この状態で人は排便が可能である。人の臀部は便座３４の上に位置しており、便座３４は開閉式になっている。便座の開閉もタッチパネルで可能である。便器４に排出された大小便は受槽５に入り、処理槽６で浄化されて管理槽３６に浄化水として回収される。排尿は浄化水として回収されるので、管理槽の水は人の水分の補給量に応じて増えることになるが、前述のシャワー乾燥で失われる水とある程度バランスしている。
浄化水が多い場合には、図には示してないが、管理槽のバルブを定期的に開いて排出させるか、またはオーバーフロータンクを設けておく。管理槽の水は前述のように４０℃前後に維持されており、排便排尿終了後はお尻洗い用ポンプ７によって、ノズル８に送られて、お尻が洗浄される。この洗浄水も同様に管理槽に戻りリサイクルされる。お尻洗い完了後は、温風ファン２１により、配管３５から便器４に温風が送られて、お尻が乾燥される。
図４に自活ベットに用いる浄化システムの例を示す。排便、排尿の排泄物３８は処理槽６にに入る。処理槽には活性炭粒子４１が充填されている。この活性炭粒子は１．０ｍｍφ程度の顆粒状であり、例えばヤシガラ活性炭のような粒子である。活性炭粒子はその内部に微細孔を無数に有しているので、たとえば化学実験における微量の有機無機不純物の濾過除去用炉床や、化学反応の触媒付与媒体などに用いられている。また臭気の吸着除去性能も高く空気清浄用慮材としても採用されている。この活性炭粒子の臭気吸着性能を利用して、第一活性炭充填筒５０、第二活性炭充填筒５２を備えた空気濾過方式の循環型の第一排気ファン４９、第二排気ファン５１を便器に取りつけると、臭気を外部に出すことなく、連続的に臭気を除去できる。この方式では活性炭充填筒で臭気が除去された空気は、また便器に戻るのでクローズドでの臭気の除去が可能である。
活性炭粒子が入れられた処理槽６には、電気分解のための陰極４３と陽極４４が取りつけられている。排泄物はこの電極から供給される電気エネルギーで分解される。活性炭粒子は陽極と陰極間に直流電流または交流電流を付加することによって、活性炭粒子の一つ一つが、小さな陰極と陽極になって処理槽内全域で排泄物の処理がなされる。排泄物は活性炭粒子の上に入ると徐々に活性炭粒子内に浸透し、処理槽６内は活性炭粒子と排泄物およびお尻洗浄水が交じり合った混合物になる。最終的には活性炭は水より軽いので、処理が終了した時点では活性炭が水に浮遊した状態になる。
以下にこの電気分解型活性炭充填処理槽の原理を簡単に説明する。排尿、排便の中には塩分が含まれているので、電圧印加によって、これを電解質とした電気分解反応が起こる。具体的には電圧の印加によって、ひとつひとつの小さな活性炭粒子の陽極側では、陽極酸化反応による遊離塩素が発生し、水道水の殺菌と同じ殺菌効果が発現される。また同時に有機物の酸化分解反応が起こり排泄物が、主に炭酸ガスと水に分解される。また陰極では、水の電気分解による還元反応で水素ガスが発生し、電極近傍はアルカリ性の電解水になる。このアルカリ性電解水には中和作用があり、陰極の酸性電解水を中和することができる。したがって、管理槽の水は常に中性に近い水に維持される。また陰極で発生する水素ガスには、その気泡発生による処理槽全体の攪拌作用があり、排泄物の均一な分解処理を促進する効果がある。発生した水素は回収して燃料電池の水素源として用いても良いが、図には示してないが、屋外に排泄物の臭気とともに排気ファンによって排出しても良い。
一定時間電気分解を行なった後、第三電磁バルブ４０を開いて、戻り管３７によって、処理水を管理槽３６に導く。管理槽上部には活性炭濾床４２があり、処理水は再度この活性炭で濾過脱臭されてから、清浄水３９となって再使用される。したがって、管理槽の水は常に清浄な水に維持される。この清浄水はまた、お尻洗いのほかシャワー用ポンプ９によって、配管４８を通じ、シャワー２５に送られて、シャワー浴に用いられる。管理槽の水と活性炭濾床の活性炭は、年３回程度の定期的な交換を行なう。
電気分解用の電源には、直流が一般的ではあるが、商用交流電源、または波形制御された正逆反転の矩形波でも良く、または直流電流で、瞬間的に電解をオンオフするタイマー電源でも良い。いずれの場合も電解効率は通電電流量と電流効率で決定される。交流や矩形波の場合は、活性炭粒子の極性が正逆反転するので、活性炭表面が満遍なく水素ガスの発生で清浄化される利点がある。以上の動作はすべて全自動で行なわれる。
排泄物の処理法として、ここでは電気分解方式を示したが、クローズド方式で処理できる方式であれば方式は問わない。例えば、時間が掛かるが微生物分解法なども挙げられる。また単なる濾過によって、定期的に排泄物を排除する方式も考えられる。さらには大型の除湿機による排泄物の乾燥と水回収再利用の方式も可能である。いずれの場合も、排泄物の処理には一定時間が必要なので、処理槽と管理槽は、シャワー用と排便用を別個に設けても構わない。別個に設ける場合、シャワー水は排泄物と違って電解質となる塩分が少ないので、例えば１００〜５００ｐｐｍ程度の食塩（ＮａＣｌ）水となるように管理槽の水を調整する。
自活ベットにはそれ自体が自力で移動が可能であるように、前輪１７と後輪１６が取りつけてある。自活ベットは後輪に取りつけられたモーター２０によって前進できる。動力源は他の動力源同様、バッテリー、制御盤１４から供給される。または水素を利用した別電源として燃料電池４７を設け、この別電源から供給しても良い。このことによって、一般の病院や、看護施設、介護施設などのみでなく、自活ベットの走行を配慮した、庭園、ゴルフ場などにもその人の意志で移動することが可能になる。移動操作はすべてタッチパネル操作でも可能であるが、遠隔操作も可能である。この場合は自活ベットに受信機を備える。また自活ベットの走行方式は走行路認識用のセンサーを備えた方式でも良く、例えば自活ベットが通路に配置された磁場信号、または電気信号を感知して、通路からはずれることなく走行する方式でも構わない。
飲料水１１は飲料水タンク５４に貯蔵されている。この容量は例えば３リットル程度あり、２〜３日間の飲料水が賄える。飲料水タンクの水はタッチパネルの操作でアーム２７に添った配管から水差し口３０を通り、飲料水用コップ１０に一定量が飲料水給水ポンプ５３によって注がれる。また飲料水の加温のため、温度制御機能付きの保温用電熱ヒーター３１が飲料水タンク５４の低部に設置されている。飲料水の温度は希望する温度に設定が可能である。これには家庭用の電気ポット方式も利用できる。
冷蔵庫２８には食品、薬２９が保管されており、数日間の食料の補給なしに生活が可能である。また本箱２６にはマガジン、月刊誌、文庫本などが収納できる。
（実施例２）
実施例１において、排泄物の処理を処理槽と管理槽を設けたクローズド方式としたが、これを下水に排出する配管を設けても構わない。自活ベットの移動は、下水からの配管を着脱式にしておけば可能である。また飲料水の補給も同様に、水道水からの直接補給が可能なように配管を取りつけても良い。この場合も自活ベットの移動時は、配管を簡単に外せるようにしておくと良い。
（実施例３）
実施例１において、人の病状や健康状態を外部からケアできるように、脈拍モニター５５による脈拍、また図には示していないが、付属する測定機による血圧、呼吸状態、体温などの測定値、人の状態を示す静止画像や動画像などを自動測定または撮影を行ない、これを自動記録できる機能を自活ベットに備え、さらに測定結果を介護私設や病院などの介護人、医師などに無線方式、セキュリティネット、インターネット、ワイヤ回線などを通じて送信できる機能を持たせても良い。またカメラ５７を設置し双方向の音声、画像送信による対話型送受信機能を併用しても良い。
【発明の効果】
従来技術で述べた介護ベットは、介護人は常時必要である。たとえば、介護人が日常の仕事や用事で家を離れたり、また緊急の用事で数日間家を離れたりした場合、肉体的に自分一人での生活が不可能な病人や身体障害者は、別の介護人を雇うなどの介護支援が必要である。また介護人が外出の場合のみでなく、日常において介護は大きな家庭の負担になっている。従って、これらの肉体的に不自由な身体傷害者や病人を抱えた家庭では、その介護に要する肉体的、精神的な苦労はもちろんのこと、家族が職に就けないなど、家庭の大きな経済的な負担にもなっている。このほか病院や介護施設などにおいても、高齢化社会の進展に伴って、若く体力のある介護人の不足が大きな社会問題になりつつある。こうした中で介護を受ける側の問題も提起され始めている。介護を受ける側が精神的な負い目を感じることなく介護を受けられることが理想だが、介護人の負担を目の当たりにして介護を受けなければならない現実は、介護される側の精神的な負い目の深刻さを増している。したがって本発明には下記の効果が挙げられる。
１）介護人、看病人、医師などの精神的、肉体的負担を軽減できる。
２）介護を受ける人の精神的負担を軽減できる。
３）家庭の精神的肉体的な日常の介護負担を軽減できる。
４）介護を受ける人、病人などが自分の判断で建物の中や屋外を移動でき、リラックスした生活を過ごすことが出来る。
５）社会における介護人不足の問題を軽減できる。
６）介護人、看護人などは数日間安心して家を離れることができ、例えば短い旅行をするなどが可能になる。
７）介護人も職に就けるので、家庭が経済的に安定する。
【図面の簡単な説明】
【図１】  本発明の自活ベットの機能を示す図である。
【図２】  本発明のシャワーカバーを収納した形を説明するための図である。
【図３】  本発明において、人が自活ベットの上に起き上がっている図である。
【図４】  本発明における、排泄物処理装置を示す図である。
【符号の説明】
１人、２自活ベット本体、３マッサージ機、４便器、５受け槽、６処理槽、７お尻洗い用ポンプ、８ノズル、９シャワー用ポンプ、１０飲料水用コップ、１１飲料水、１２マルチメディアデジタルテレビ、１３シャワーカバー、１４バッテリーおよび制御盤、１５商用電源入力コンセント、１６後輪、１７前輪、１８操作パネル、１９ラジオおよびＣＤプレイヤー、２０モーター、２１温風ファン、２２第一電磁弁、２３第二電磁弁、２４シャワー用配管、２５シャワー、２６本箱、２７アーム、２８冷蔵庫、２９食品および薬、３０水差し口、３１保温ヒーター、３２前方パネル、３３サスペンダー、３４便座、３５配管、３６管理槽、３７戻り管、３８排泄物、３９清浄水、４０第三電磁弁、４１活性炭粒子、４２活性炭濾床、４３陰極、４４陽極、４５空調機、４６背もたれ、４７燃料電池、４８配管、４９第一排気ファン、５０第一活性炭充填筒１、５１第二排気ファン、５２第二活性炭充填筒、５３飲料水供給ポンプ、５４飲料水タンク、５５脈拍モニター、５６シャワー収納部、５７カメラ
【図１】
2005305050.tif 000003
【図２】
2005305050.tif 000004
【図３】
2005305050.tif 000005
【図４】
2005305050.tif 000006